(57)【要約】【課題】本発明は、抵抗を変えることなく設定を変更することができ、管理を容易に行うことができる基板および基板組み付け方法を提供することを課題とする。【解決手段】端子Ａ〜Ｃを有し、端子Ａ〜Ｃの論理値によって液晶パネルサイズを設定するマイコン２と、マイコン２における端子Ａ〜Ｃにそれぞれ接続されたｐｉｎ３１〜３３および端子Ａ〜Ｃの状態を変化させるｐｉｎ３４〜３９を有する基板側コネクタ３とを基板１に設け、ｐｉｎ３１〜３３とｐｉｎ３４〜３９とを結線することで端子Ａ〜Ｃの論理値を設定するハーネスを基板側コネクタ３に接続することで、液晶パネルサイズの設定を行うように構成するすることにより、基板１を完全に共通化することができると共に、ハーネス４を基板側コネクタ３に接続するという簡単な作業のみで、液晶パネルサイズの設定を変更することができる。【選択図】        図１
2008108833.tif 000002
【特許請求の範囲】
【請求項１】
設定によって複数の異なる制御を行う部品が実装された基板であって、
複数の端子を有し、当該端子の論理値によって前記部品の制御方法を設定する制御方法設定手段と、
該制御方法設定手段における複数の前記端子にそれぞれ接続された第１のコネクタ端子群および前記制御方法設定手段における複数の前記端子の状態を変化させる第２のコネクタ端子群を有する基板側コネクタと、
該基板側コネクタに接続され、前記第１のコネクタ端子群と前記第２のコネクタ端子群とを結線することで前記制御方法設定手段における複数の前記端子の論理値を設定するハーネスとを具備することを特徴とする基板。
【請求項２】
前記ハーネスは、前記制御方法毎に色分けされていることを特徴とする請求項１記載の基板。
【請求項３】
前記ハーネスの線長は、前記制御方法毎に異なっていることを特徴とする請求項１又は２記載の基板。
【請求項４】
設定によって複数の異なる制御を行う部品が実装された基板をシャーシに組み付ける基板組み付け方法であって、
複数の端子を有し、当該端子の論理値によって前記部品の制御方法を設定する制御方法設定手段における複数の前記端子にそれぞれ接続された第１のコネクタ端子群および前記制御方法設定手段における複数の前記端子の状態を変化させる第２のコネクタ端子群を有する基板側コネクタに、前記第１のコネクタ端子群と前記第２のコネクタ端子群とを結線することで前記制御方法設定手段における複数の前記端子の論理値を設定する、前記制御方法毎に線長が異なるハーネスを接続する制御方法設定工程と、
前記シャーシに前記基板を組み付ける組み付け工程と、
前記制御方法毎に前記シャーシの異なる位置に設けられたフックに前記ハーネスを引っ掛ける線処理工程とを有することを特徴とする基板組み付け方法。
【請求項５】
設定によって複数の異なる制御を行う部品が実装された基板であって、
複数の端子を有し、当該端子の論理値によって前記部品の制御方法を設定する制御方法設定手段を具備し、
切り離すことで前記制御方法設定手段における複数の前記端子の状態を変化させる複数の切り離し片が形成されていることを特徴とする基板。
【請求項６】
設定によって複数の異なる制御方法を行う部品が実装された基板をシャーシに組み付ける基板組み付け方法であって、
複数の端子を有し、当該端子の論理値によって前記部品の制御方法を設定する制御方法設定手段における複数の前記端子の論理値を、切り離すことで前記制御方法設定手段における複数の前記端子の状態を変化させる複数の切り離し片を選択的に切り離して設定する制御方法設定工程と、
切り離した前記切り離し片に対応する位置に凸部が形成された前記シャーシに前記基板を組み付ける組み付け工程とを有することを特徴とする基板組み付け方法。
【発明の詳細な説明】
【技術分野】
【０００１】
本発明は、液晶パネル等の被制御対象物の制御を行う部品が実装された基板および基板組み付け方法に関し、特に設定によって複数の異なる制御を行う部品が実装された基板組み付け方法に関する。
【背景技術】
【０００２】
液晶パネルのサイズによってバックライトの制御や画質の設定等を変える必要があるため、液晶パネルの表示制御を行うメインボートの設定を液晶パネルのサイズ毎に変更可能に構成し、メインボードを共通化することが行われている。メインボートの設定の変更は、マイコンの入力端子に接続する抵抗を変えることで、サイズ情報をマイコンに与えて、液晶パネルサイズの判別を行っている（例えば、特許文献１参照）。
【０００３】
また、近年、同一機種においても入出力インタフェース等の条件を統一することにより、異なる液晶パネルメーカー製の液晶パネルを用いる試みも行われている。この場合においても、画質の設定等を変える必要があるため、上記同様の手法が用いられている。
【０００４】
しかしながら、従来技術では、液晶パネルのサイズが多様化等するとそれに応じて抵抗を変える種類が増え、同じような機能を有する基板でありながら何種類も分けて作製する必要があり、管理が面倒であるという問題点があった。
【特許文献１】特開平９−２８３８７２号公報
【発明の開示】
【発明が解決しようとする課題】
【０００５】
本発明は斯かる問題点に鑑みてなされたものであり、その目的とするところは、抵抗を変えることなく設定を変更することができ、管理を容易に行うことができる基板および基板組み付け方法を提供する点にある。
【課題を解決するための手段】
【０００６】
本発明は上記課題を解決すべく、以下に掲げる構成とした。
本発明の基板は、設定によって複数の異なる制御を行う部品が実装された基板であって、複数の端子を有し、当該端子の論理値によって前記部品の制御方法を設定する制御方法設定手段と、該制御方法設定手段における複数の前記端子にそれぞれ接続された第１のコネクタ端子群および前記制御方法設定手段における複数の前記端子の状態を変化させる第２のコネクタ端子群を有する基板側コネクタと、該基板側コネクタに接続され、前記第１のコネクタ端子群と前記第２のコネクタ端子群とを結線することで前記制御方法設定手段における複数の前記端子の論理値を設定するハーネスとを具備することを特徴とする。
【０００７】
さらに、本発明の基板においては、前記ハーネスは、前記制御方法毎に色分けされていることを特徴とする。
【０００８】
さらに、本発明の基板においては、前記ハーネスの線長は、前記制御方法毎に異なっていることを特徴とする。
【０００９】
また、本発明の基板組み付け方法は、設定によって複数の異なる制御を行う部品が実装された基板をシャーシに組み付ける基板組み付け方法であって、複数の端子を有し、当該端子の論理値によって前記部品の制御方法を設定する制御方法設定手段における複数の前記端子にそれぞれ接続された第１のコネクタ端子群および前記制御方法設定手段における複数の前記端子の状態を変化させる第２のコネクタ端子群を有する基板側コネクタに、前記第１のコネクタ端子群と前記第２のコネクタ端子群とを結線することで前記制御方法設定手段における複数の前記端子の論理値を設定する、前記制御方法毎に線長が異なるハーネスを接続する制御方法設定工程と、前記シャーシに前記基板を組み付ける組み付け工程と、前記制御方法毎に前記シャーシの異なる位置に設けられたフックに前記ハーネスを引っ掛ける線処理工程とを有することを特徴とする。
【００１０】
また、本発明の基板は、設定によって複数の異なる制御を行う部品が実装された基板であって、複数の端子を有し、当該端子の論理値によって前記部品の制御方法を設定する制御方法設定手段を具備し、切り離すことで前記制御方法設定手段における複数の前記端子の状態を変化させる複数の切り離し片が形成されていることを特徴とする。
【００１１】
また、本発明の基板組み付け方法は、設定によって複数の異なる制御を行う部品が実装された基板をシャーシに組み付ける基板組み付け方法であって、複数の端子を有し、当該端子の論理値によって前記部品の制御方法を設定する制御方法設定手段における複数の前記端子の論理値を、切り離すことで前記制御方法設定手段における複数の前記端子の状態を変化させる複数の切り離し片を選択的に切り離して設定する制御方法設定工程と、
切り離した前記切り離し片に対応する位置に凸部が形成された前記シャーシに前記基板を組み付ける組み付け工程とを有することを特徴とする。
【発明の効果】
【００１２】
本発明の基板は、複数の端子を有し、端子の論理値によって部品の制御方法を設定する制御方法設定手段と、制御方法設定手段における複数の端子にそれぞれ接続された第１のコネクタ端子群および制御方法設定手段における複数の端子の状態を変化させる第２のコネクタ端子群を有する基板側コネクタとを基板に設け、第１のコネクタ端子群と第２のコネクタ端子群とを結線することで制御方法設定手段における複数の端子の論理値を設定するハーネスを基板側コネクタに接続することで、制御方法の設定を行うように構成することにより、基板を完全に共通化することができると共に、ハーネスを基板側コネクタに接続するという簡単な作業のみで、抵抗を変えることなく設定を変更することができ、管理を容易に行うことができるという効果を奏する。
【００１３】
さらに、本発明の基板は、ハーネスを制御方法毎に色分けするように構成することにより、ハーネスの接続によって基板に設定される制御方法を簡単に認識することができ、異なる制御方法に設定されるハーネスの誤接続を防ぐことができるという効果を奏する。
【００１４】
さらに、本発明の基板は、ハーネスの線長を制御方法毎に異なるように構成することにより、基板の組み付けに際し、ハーネスの線長の違いを利用して、基板に設定された制御方法が正しいか否かを確認することができ、誤った制御方法に設定された基板の組み付けを防止することができるという効果を奏する。
【００１５】
また、本発明の基板組み付け方法は、複数の端子を有し、端子の論理値によって部品の制御方法を設定する制御方法設定手段における複数の端子にそれぞれ接続された第１のコネクタ端子群および制御方法設定手段における複数の端子の状態を変化させる第２のコネクタ端子群を有する基板側コネクタに、第１のコネクタ端子群と第２のコネクタ端子群とを結線することで制御方法設定手段における複数の端子の論理値を設定する、制御方法毎に線長が異なるハーネスを接続する制御方法設定工程と、シャーシに基板を組み付ける組み付け工程と、制御方法毎にシャーシの異なる位置に設けられたフックにハーネスを引っ掛ける線処理工程とを有することにより、フックの取り付け位置をシャーシに組み付けられる基板の基板側コネクタに接続されるハーネスの線長に応じて設定することで、線処理工程で組み付けられた基板が正しいか否かを判定することができ、誤った制御方法に設定された基板の組み付けを防止することができるという効果を奏する。
【００１６】
また、本発明の基板は、複数の端子を有し、当該端子の論理値によって部品の制御方法を設定する制御方法設定手段における複数の端子の状態を、切り離すことで変化させる複数の切り離し片を形成するように構成することにより、切り離し片を選択的に切り離すという簡単な作業のみで、抵抗を変えることなく設定を変更することができ、管理を容易に行うことができるという効果を奏する。
【００１７】
また、本発明の基板組み付け方法は、複数の端子を有し、端子の論理値によって部品の制御方法を設定する制御方法設定手段における複数の端子の論理値を、切り離すことで制御方法設定手段における複数の端子の状態を変化させる複数の切り離し片を選択的に切り離して設定する制御方法設定工程と、切り離した切り離し片に対応する位置に凸部が形成されたシャーシに基板を組み付ける組み付け工程とを有することにより、凸部の形成位置を切り離す切り離し片に応じて設定することで、組み付け工程で組み付けられた基板が正しいか否かを判定することができ、誤った制御方法に設定された基板の組み付けを防止することができるという効果を奏する。
【発明を実施するための最良の形態】
【００１８】
以下、本発明の実施の形態を図面に基づいて詳細に説明する。
【００１９】
（第１の実施の形態）
図１は、本発明に係る基板の第１の実施の形態の構成を示す概略図であり、図２は、図１に示すマイコンに設定されている液晶パネルサイズ毎の端子の論理値を示す図であり、図３は、図１に示す基板側コネクタに接続するハーネスの構成を示す斜視図である。
【００２０】
第１の実施の形態の基板１は、液晶パネルの表示制御を行うメインボートであり、映像信号のスケーリング、メニュー操作の制御、バックライトの制御、ＨＤＭＩ（High-Definition Multimedia Interface）等の入力信号の制御、音声の制御等の処理を行うユニットが実装され、液晶パネルのサイズによってバックライトの制御や画質の設定等を変更できるようになっている。
【００２１】
基板１には、図１を参照すると、端子Ａ〜Ｃを有するマイコン２が実装されており、端子Ａ〜Ｃの状態、すなわち端子Ａ〜Ｃの電位に応じて、マイコン２が液晶パネルのサイズを認識し、マイコン２が認識した液晶パネルのサイズに応じたバックライトの制御や画質の設定等が行われる。
【００２２】
マイコン２の端子Ａ〜Ｃは、基板１に取り付けられた９本の端子（ｐｉｎ３１〜３９）を有する基板側コネクタ３に接続されており、マイコン２の端子Ａは、抵抗ｒ１を介して接地されているラインと、抵抗ｒ２とを介して基板側コネクタ３のｐｉｎ３１に接続され、マイコン２の端子Ｂは、抵抗ｒ１を介して接地されているラインと、抵抗ｒ２とを介して基板側コネクタ３のｐｉｎ３２に接続されている。また、マイコン２の端子Ｃは、抵抗ｒ１を介して接地されていると共に、抵抗ｒ１を介して電源（＋Ｖ）に接続されているラインと、抵抗ｒ２とを介して基板側コネクタ３のｐｉｎ３３に接続されている。また、基板側コネクタ３のｐｉｎ３４〜３６は、電源（＋Ｖ）に接続されており、ｐｉｎ３７〜３９は、接地されている。なお、抵抗ｒ２＞抵抗ｒ１とする。
【００２３】
従って、マイコン２の端子Ａの電位は、ｐｉｎ３１にｐｉｎ３４〜３６のいずれかが接続されると「Ｈ」（Ｈｉｇｈレベル）になり、ｐｉｎ３１が未接続状態であるか、ｐｉｎ３１にｐｉｎ３７〜３９のいずれかが接続されると「Ｌ」（Ｌｏｗレベル）になる。また、マイコン２の端子Ｂの電位は、ｐｉｎ３２にｐｉｎ３４〜３６のいずれかが接続されると「Ｈ」になり、ｐｉｎ３２が未接続状態であるか、ｐｉｎ３２にｐｉｎ３７〜３９のいずれかが接続されると「Ｌ」になる。さらに、マイコン２の端子Ｃの電位は、ｐｉｎ３３が未接続状態であると「Ｍ」（Ｍｉｄｄｌｅレベル）となり、ｐｉｎ３３にｐｉｎ３４〜３６のいずれかが接続されると「Ｈ」になり、ｐｉｎ３３にｐｉｎ３７〜３９のいずれかが接続されると「Ｌ」になる。
【００２４】
マイコン２には、図２に示すように、端子Ａ〜Ｃ、すなわちｐｉｎ３１〜３３の論理値（組み合わせ）と、液晶パネルのサイズ（ｉｎｃｈ）との関係が設定されており、マイコン２は、ｐｉｎ３１〜３３の接続状態によって、液晶パネルのサイズを認識する。なお、第１の実施の形態では、基板１が対応可能な液晶パネルサイズを２６〜６５（ｉｎｃｈ）の９通とし、図２に示すように、液晶パネルサイズ２６〜６５（ｉｎｃｈ）にそれぞれ対応する９個の論理値を設定するように構成したが、基板１が対応可能な液晶パネルサイズの数に応じて、適宜設定することができ、また、基板１が対応可能な液晶パネルサイズの数が端子Ａ〜Ｃで設定可能な論理値を超える場合には、マイコン２の端子数を増やすことで対応することができる。
【００２５】
基板側コネクタ３におけるｐｉｎ３１〜３３の接続は、図３（ａ）に示すハーネス４を、図３（ｂ）に示すように基板側コネクタ３に接続することによって行われる。ハーネス４は、基板側コネクタ３のｐｉｎ３１〜３９に対応するソケットを有するハーネス側コネクタ４１と、ハーネス側コネクタ４１のソケット間を結線するワイヤー４２とからなる。
【００２６】
ハーネス４は、基板１が対応可能な液晶パネルサイズ毎に作製され、ハーネス４を基板側コネクタ３に挿入接続すると、ワイヤー４２の接続状態によって、マイコン２の端子Ａ〜Ｃの論理値が設定され、マイコン２が液晶パネルのサイズを認識し、基板１において液晶パネルのサイズに応じたバックライトの制御や画質の設定等が行われる。
【００２７】
また、ハーネス４は、液晶パネルサイズ毎に色分けされており、基板１に設定する液晶パネルのサイズが一目でわかるようになっている。なお、ハーネス４の色分けは、ハーネス側コネクタ４１とワイヤー４２との両方もしくは一方を色分けするようにしても良く、異なる色のラベル等をハーネス側コネクタ４１もしくはワイヤー４２に貼付するようにしても良い。
【００２８】
さらに、ハーネス４、すなわちワイヤー４２は、液晶パネルサイズ毎に異なる線長に設定されており、基板１を液晶パネルに組み付ける際に、異なる液晶パネルサイズに設定された基板１の組み付けを防止できるようになっている。なお、基板１の組み付け方法については、後述する。
【００２９】
次に、第１の実施の形態の基板１を液晶パネルに組み付ける組み付け方法について図４乃至図９を参照して詳細に説明する。
図４は、本発明に係る基板の第１の実施の形態の作製工程を説明する工程図であり、図５は、本発明に係る基板の第１の実施の形態が組み付けられる液晶パネルの構成を示す概略平面図であり、図６は、本発明に係る基板の第１の実施の形態の組み付け工程を説明する工程図であり、図７は、図５に示すシャーシへのフックの取り付け動作を説明する斜視図であり、図８は、本発明に係る基板の第１の実施の形態が液晶パネルに組み付けられた状態を示す斜視図であり、図９は、図７に示すフックの位置とハーネスの長さとの関係を説明する説明図である。
【００３０】
まず、液晶パネルに組み付ける基板１の作製工程について説明する。
図４を参照すると、基板１に対し、映像信号のスケーリング、メニュー操作の制御、バックライトの制御、ＨＤＭＩ（High-Definition Multimedia Interface）等の入力信号の制御、音声の制御等の処理を行うユニットを構成する部品を実装し（ステップＡ１）、実装した部品が正常に機能するか否かの検査を行い（ステップＡ２）、液晶パネルサイズを２６〜６５（ｉｎｃｈ）の９通のいずれにも対応することができる共通基板が完成する（ステップＡ３）。
【００３１】
次に、組み付ける液晶パネルサイズに応じて、予め液晶パネルサイズ毎に作製されたハーネス４を基板１の基板側コネクタ３に接続することで（ステップＡ４）、組み付ける液晶パネルサイズに対応する基板１が完成する（ステップＡ５）。なお、予め液晶パネルサイズ毎に作製されたハーネス４は、液晶パネルサイズ毎に色分けされているため、組み付ける液晶パネルサイズに応じたハーネス４を確実に接続することが可能になっている。
【００３２】
次に、基板１の液晶パネルへの組み付け工程について説明する。
基板１は、図５を参照すると、液晶パネル５の裏面に配設されたシャーシ６の所定位置に、電源ユニット５１、ＬＣＤコントロールユニット５２、インバータユニット５３、ＡＶ入力チューナユニット５４および音声アンプ５５と共に組み付けられる。
【００３３】
図６を参照すると、基板１の液晶パネルへの組み付けに先立ち、まず、シャーシ６にフック７を取り付ける（ステップＢ１）。シャーシ６には、図７を参照すると、組み付けられる基板１の基板側コネクタ３に対向する位置にフック取り付け用開口６１が形成されており、フック取り付け用開口６１にフック７を取り付ける。シャーシ６は、液晶パネルサイズ毎に作製されたものが使用され、フック取り付け用開口６１の位置は、シャーシ６に組み付けられる基板１の基板側コネクタ３に接続されるハーネス４の線長に応じて形成されている。なお、第１の実施の形態では、ャーシ６にフック取り付け用開口６１を形成し、フック取り付け用開口６１にフック７を取り付けるように構成したが、フック７をシャーシ６に一体的に形成するようにしても良い。
【００３４】
次に、シャーシ６の所定の位置に基板１を組み付け（ステップＢ２）、図８に示すように、基板１の基板側コネクタ３に接続されたハーネス４をフック７に引っ掛ける線処理を行い（ステップＢ３）、ハーネス４をフック７に引っ掛けることができるか否か、すなわちハーネス４の線処理が可能か否かを判断する（ステップＢ４）。
【００３５】
図８および図９（ａ）に示すように、ハーネス４をフック７に引っ掛けることができる場合には、液晶パネルサイズに対応する設定が行われた基板１が組み付けられたことになり、基板１が組み付けを終了し、図９（ｂ）に示すように、ハーネス４が短くてフック７に引っ掛けることができない場合や、図９（ｃ）に示すように、ハーネス４が長くてフック７に引っ掛けることができない場合には、液晶パネルサイズに対応していない、すなわち他の液晶パネルサイズに対応するように設定されてしまった基板１が組み付けられたことになるため、基板１の交換を行い（ステップＢ５）、再度ステップＢ４の工程が行われる。
【００３６】
このように、ハーネス４は、液晶パネルサイズ毎に異なる線長に設定されており、且つフック取り付け用開口６１の位置、すなわちフック７の取り付け位置は、シャーシ６に組み付けられる基板１の基板側コネクタ３に接続されるハーネス４の線長に応じて設定されているため、シャーシ６が対応する液晶パネルサイズとは異なる液晶パネルサイズに設定された基板１が組み付けられた場合には、ハーネス４をフック７に正しく引っ掛けることができず、シャーシ６が対応する液晶パネルサイズと同一の液晶パネルサイズに設定された基板１が組み付けられた場合のみ、ハーネス４をフック７に正しく引っ掛けることができるように構成されている。
【００３７】
なお、第１の実施の形態では、シャーシ６にフック７を取り付けた後に、ハーネス４を接続した基板１を組み付けるようにしたが、シャーシ６にハーネス４を接続した基板１を組み付けた後にフックを取り付けるようにしても良く、また、シャーシ６に基板１を組み付けた後に、ハーネス４を接続するようにしても良い。
【００３８】
以上説明したように、第１の実施の形態によれば、端子Ａ〜Ｃを有し、端子Ａ〜Ｃの論理値によって液晶パネルサイズを設定するマイコン２と、マイコン２における端子Ａ〜Ｃにそれぞれ接続されたｐｉｎ３１〜３３および端子Ａ〜Ｃの状態を変化させるｐｉｎ３４〜３９を有する基板側コネクタ３とを基板１に設け、ｐｉｎ３１〜３３とｐｉｎ３４〜３９とを結線することで端子Ａ〜Ｃの論理値を設定するハーネス４を基板側コネクタ３に接続することで、液晶パネルサイズの設定を行うように構成することにより、基板１を完全に共通化することができると共に、ハーネス４を基板側コネクタ３に接続するという簡単な作業のみで、抵抗を変えることなく液晶パネルサイズの設定を変更することができ、管理を容易に行うことができるという効果を奏する。
【００３９】
さらに、第１の実施の形態によれば、ハーネス４を液晶パネルサイズ毎に色分けするように構成することにより、ハーネス４の接続によって基板１に設定される液晶パネルサイズを簡単に認識することができ、異なる液晶パネルサイズに設定されるハーネス４の誤接続を防ぐことができるという効果を奏する。
【００４０】
さらに、第１の実施の形態によれば、ハーネス４の線長を液晶パネルサイズ毎に異なるように構成することにより、基板１の組み付けに際し、ハーネス４の線長の違いを利用して、基板１に設定された液晶パネルサイズが正しいか否かを確認することができ、誤った液晶パネルサイズに設定された基板１の組み付けを防止することができるという効果を奏する。
【００４１】
また、第１の実施の形態によれば、端子Ａ〜Ｃを有し、端子Ａ〜Ｃの論理値によって液晶パネルサイズを設定するマイコン２における端子Ａ〜Ｃにそれぞれ接続されたｐｉｎ３１〜３３および端子Ａ〜Ｃの状態を変化させるｐｉｎ３４〜３９を有する基板側コネクタ３に、ｐｉｎ３１〜３３とｐｉｎ３４〜３９とを結線することで端子Ａ〜Ｃの論理値を設定する、液晶パネルサイズ毎に線長が異なるハーネス４を接続する制御方法設定工程と、シャーシ６に基板１を組み付ける組み付け工程と、液晶パネルサイズ毎にシャーシ６の異なる位置に設けられたフック７にハーネス４を引っ掛ける線処理工程とを有することにより、フック７の取り付け位置を、シャーシ６に組み付けられる基板１の基板側コネクタ３に接続されるハーネス４の線長に応じて設定することで、線処理工程で組み付けられた基板１が正しいか否かを判定することができ、誤った制御方法に設定された基板１の組み付けを防止することができるという効果を奏する。
【００４２】
（第２の実施の形態）
図１０は、本発明に係る基板の第２の実施の形態の構成を示す概略図であり、図１１は、本発明に係る基板の第２の実施の形態の組み付け工程を説明する説明図である。
【００４３】
第２の実施の形態の基板１０には、ミシン目等の切り離し加工が施され、手で折り曲げることによって簡単に切り離すことができる第１切り離し片１１、第２切り離し片１２、第３切り離し片１３および第４切り離し片１４が形成されている。マイコン２の端子Ａは、抵抗ｒ１を介して接地されているラインと、抵抗ｒ２と、第１切り離し片１１に形成されたラインとを介して電源（＋Ｖ）に接続されており、マイコン２の端子Ｂは、抵抗ｒ１を介して接地されているラインと、抵抗ｒ２と、第２切り離し片１２に形成されたラインとを介して電源（＋Ｖ）に接続されている。また、マイコン２の端子Ｃは、抵抗ｒ１を介して接地されていると共に、抵抗ｒ１を介して電源（＋Ｖ）に接続されているラインと、第３切り離し片１３に形成されたラインと、抵抗ｒ２とを介して電源（＋Ｖ）に接続されていると共に、抵抗ｒ１を介して電源（＋Ｖ）に接続されているラインと、第４切り離し片１４に形成されたラインと、抵抗ｒ２とを介して接地されている。なお、抵抗ｒ２＞抵抗ｒ１とする。
【００４４】
従って、マイコン２の端子Ａの電位は、第１切り離し片１１を切り離さない状態では、「Ｈ」になり、第１切り離し片１１を切り離した状態では、「Ｌ」になる。また、マイコン２の端子Ｂの電位は、第２切り離し片１２を切り離さない状態では、「Ｈ」になり、第２切り離し片１２を切り離した状態では、「Ｌ」になる。さらに、マイコン２の端子Ｃの電位は、第３切り離し片１３と第４切り離し片１４とのいずれをも切り離さない状態では、
「Ｍ」となり、第４切り離し片１４のみを切り離した状態では、「Ｈ」になり、第３切り離し片１３のみを切り離した状態では、「Ｌ」になる。
【００４５】
マイコン２には、図２に示すように、端子Ａ〜Ｃ、すなわちｐｉｎ３１〜３３の論理値（組み合わせ）と、液晶パネルのサイズ（ｉｎｃｈ）との関係が設定されており、マイコン２は、第１切り離し片１１、第２切り離し片１２、第３切り離し片１３および第４切り離し片１４の切り離し状態に応じて、液晶パネルのサイズを認識する。すなわち、第１切り離し片１１、第２切り離し片１２、第３切り離し片１３および第４切り離し片１４を選択的に切り離す作業によって簡単にマイコン２の端子Ａ〜Ｃの論理値を設定させることができる。
【００４６】
また、基板１０を組み付けるシャーシ６は、液晶パネルサイズ毎に作製されたものが使用され、図１１に示すように、組み付けられる基板１０の第１切り離し片１１、第２切り離し片１２、第３切り離し片１３および第４切り離し片１４が位置する箇所に、液晶パネルサイズに応じた凸部６２が形成されている。図１１に示されているシャーシ６は、液晶パネルサイズ３７ｉｎｃｈに対応して作製されたものであり、図１１（ａ）に示すように、基板１０の第１切り離し片１１、第２切り離し片１２、第３切り離し片１３および第４切り離し片１４のいずれもが切り離されておらず、端子Ａ〜Ｃが「Ｈ」、「Ｈ」、「Ｍ」に設定された液晶パネルサイズ５７ｉｎｃｈ用の基板１０を組み付けようとした場合には、第１切り離し片１１および第３切り離し片１３が凸部６２に当接することで、シャーシ６が対応する液晶パネルサイズとは異なる液晶パネルサイズに設定された基板１０を組み付けることができないようになっている。これに対し、図１１（ｂ）に示すように、基板１０の第１切り離し片１１および第３切り離し片１３が切り離され、端子Ａ〜Ｃが「Ｌ」、「Ｈ」、「Ｌ」に設定された液晶パネルサイズ３７ｉｎｃｈ用の基板１０を組み付けようとした場合には、凸部６２に第１切り離し片１１、第２切り離し片１２、第３切り離し片１３および第４切り離し片１４のいずれもが当接することなく、シャーシ６が対応する液晶パネルサイズと同一の液晶パネルサイズに設定された基板１０を組み付けることができる。
【００４７】
なお、第２の実施の形態では、凸部６２をシャーシ６に形成するように構成したが、シャーシ６に開口を形成し、当該開口に突起を取り付けることで凸部６２を形成するようにしても良い。
【００４８】
以上説明したように、第２の実施の形態によれば、端子Ａ〜Ｃを有し、端子Ａ〜Ｃの論理値によって液晶パネルサイズを設定するマイコン２における端子Ａ〜Ｃの状態を、切り離すことで変化させる複数の切り離し片１１〜１４を形成するように構成することにより、切り離し片１１〜１４を選択的に切り離すという簡単な作業のみで、抵抗を変えることなく設定を変更することができ、管理を容易に行うことができるという効果を奏する。
【００４９】
また、第２の実施の形態によれば、端子Ａ〜Ｃを有し、端子Ａ〜Ｃの論理値によって液晶パネルサイズを設定するマイコン２における端子Ａ〜Ｃの論理値を、切り離すことで端子Ａ〜Ｃの論理値を変化させる複数の切り離し片１１〜１４を選択的に切り離して設定する制御方法設定工程と、切り離した切り離し片１１〜１４に対応する位置に凸部６２が形成されたシャーシ６に基板１を組み付ける組み付け工程とを有することにより、凸部６２の形成位置を切り離す切り離し片１１〜１４に応じて設定することで、組み付け工程で組み付けられた基板１０が正しいか否かを判定することができ、誤った制御方法に設定された基板１０の組み付けを防止することができるという効果を奏する。
【００５０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００５１】
【図１】本発明に係る基板の第１の実施の形態の構成を示す概略図である。
【図２】図１に示すマイコンに設定されている液晶パネルサイズ毎の端子の論理値を示す図である。
【図３】図１に示す基板側コネクタに接続するハーネスの構成を示す斜視図である。
【図４】本発明に係る基板の第１の実施の形態の作製工程を説明する工程図である。
【図５】本発明に係る基板の第１の実施の形態が組み付けられる液晶パネルの構成を示す概略平面図である。
【図６】本発明に係る基板の第１の実施の形態の組み付け工程を説明する工程図である。
【図７】図５に示すシャーシへのフックの取り付け動作を説明する斜視図である。
【図８】本発明に係る基板の第１の実施の形態が液晶パネルに組み付けられた状態を示す斜視図である。
【図９】図７に示すフックの位置とハーネスの長さとの関係を説明する説明図である。
【図１０】本発明に係る基板の第２の実施の形態の構成を示す概略図である。
【図１１】本発明に係る基板の第２の実施の形態の組み付け工程を説明する説明図である。
【符号の説明】
【００５２】
１  基板（第１の実施の形態）
２  マイコン（制御方法設定手段）
３  基板側コネクタ
４  ハーネス
５  液晶パネル
６  シャーシ
７  フック
１０  基板（第２の実施の形態）
１１〜１４  切り離し片
３１〜３３  ｐｉｎ（第１のコネクタ端子群）
３４〜３９  ｐｉｎ（第２のコネクタ端子群）
４１  ハーネス側コネクタ
４２  ワイヤー
５１  電源ユニット
５２  ＬＣＤコントロールユニット
５３  インバータユニット
５４  ＡＶ入力チューナユニット
５５  音声アンプ
６１  フック取り付け用開口
６２  凸部
【図１】
2008108833.tif 000003
【図２】
2008108833.tif 000004
【図３】
2008108833.tif 000005
【図４】
2008108833.tif 000006
【図５】
2008108833.tif 000007
【図６】
2008108833.tif 000008
【図７】
2008108833.tif 000009
【図８】
2008108833.tif 000010
【図９】
2008108833.tif 000011
【図１０】
2008108833.tif 000012
【図１１】
2008108833.tif 000013